(57)【特許請求の範囲】
【請求項１】
第１の開口部を有する第１の筐体と、
この第１の筐体内に配置されるプリント基板と、
このプリント基板の端部と接続して前記第１の筐体が有する第１の開口部から外側に突出するコネクタと、
このコネクタを配挿する第２の開口部を有して前記第１の筐体が有する第１の開口部に固定される第２の筐体と、
この第２の筐体が有する第２の開口部から前記コネクタに沿って筒状に突出した突出部と、
この突出部の先端から内側に張り出したフランジ部とを備え、
前記突出部は前記コネクタの先端よりも外側に突出し、
前記フランジ部の先端が前記コネクタの外周よりも内側に張り出したことを特徴とする電子制御装置。
【請求項２】
前記第１の筐体は、上面側から内部に突出した内壁部をさらに備え、
前記プリント基板は前記第１の筐体の底面側に配置され、
前記フランジ部は、前記突出部の底面側の先端部から内側に張り出し、
前記内壁部の底面部が前記コネクタの外周部の上面側よりも下方に突出したことを特徴とする請求項１に記載の電子制御装置。
【発明の詳細な説明】
【技術分野】
【０００１】
本発明は、筐体に内挿されたプリント基板を外部の物体から保護する電子制御装置に関するものである。
【背景技術】
【０００２】
従来、スマートキーレスエントリやイモビライザ用の電子制御装置においては、筐体を袋状に成型し、プリント基板を筐体に内挿したものが知られている（例えば特許文献１参照）。
【０００３】
図７は、従来の電子制御装置を説明する断面図である。なお、図７で示すＸＹＺ軸は、Ｘ軸正方向が電子制御装置の正面から背面に向かう方向を示し、Ｙ軸正方向が電子制御装置の左面から右面に向かう方向を示し、Ｚ軸正方向が電子制御装置の底面から上面に向かう方向を示す。ＸＹＺ軸を用いて表すと、図７は、電子制御装置をＸＺ平面で切ったときにＹ軸負方向から見たときの断面図である。図８は、図７の電子制御装置の正面図である。ＸＹＺ軸を用いて表すと、図８は、電子制御装置をＸ軸正方向から見たときの正面図である。図９は、図７の点線部分Ａの拡大図である。
【０００４】
図７、図８に示すように、電子制御装置は、第１の筐体１と、この第１の筐体１に内挿されるプリント基板２と、第１の筐体１に設けられてプリント基板２を狭持する狭持部３と、プリント基板２上の図示しない電子回路部品と一端が電気的に接続する金属端子４と、プリント基板２上に設けて金属端子４の他端を保護するコネクタ５と、第１の筐体１の正面側に設けられた第１の開口部を塞ぐ第２の筐体６とを備える。
【０００５】
プリント基板２は、第１の筐体１の底面側（ＸＹＺ軸を用いて表すとＺ軸の負方向側）に配置されている。第１の筐体１と第２の筐体６は、それぞれ図示しないロック爪とロック部を有して互いに嵌合する。コネクタ５は、正面側に外周部５Ａとこの外周部５Ａに囲まれた開口部５Ｂを有する。金属端子４の他端はこの開口部５Ｂから露出する。第２の筐体６は、第２の開口部とこの開口端からＸ軸の負方向に突出した突出部７を有する。第２の筐体６に設けられた第２の開口部からコネクタ５が突出する。突出部７は、第２の筐体６の開口から突出したコネクタ５の上下の面、および、左右の面を取り囲んでコネクタ５を保護する。コネクタ５と突出部７との間には、第２の筐体６に設けられた第２の開口部の一部である隙間８が設けられている。この隙間８は、コネクタ５の外周部５Ａと突出部７の内周部７Ａとの間に設けられている。針金等の外来固形物から電子制御装置を保護するため、この隙間８の長さは、所定の値以下に設定することが国際規格で決められている（例えば非特許文献１を参照）。このような規格が定められているのは、図９の一点鎖線１０に示すように、針金９が隙間８に差し込まれて金属端子４やプリント基板２上の図示しない電子回路と接触して電子制御装置が誤動作したり故障したりするのを防止するためである。
【先行技術文献】
【特許文献】
【０００６】
【特許文献１】特開平１１−２８９１７８号公報
【非特許文献】
【０００７】
【非特許文献１】ＩＮＴＥＲＮＡＴＩＯＮＡＬ  ＳＴＡＮＤＡＲＤ（ＳＥＣＯＮＤ  ＥＤＩＴＩＯＮ），  ＩＮＴＥＲＮＡＴＩＯＮＡＬ  ＥＬＥＣＴＲＯＴＥＣＨＮＩＣＡＬ  ＣＯＭＭＩＳＳＩＯＮ，  ＤＥＧＲＥＥＳ  ＯＦ  ＰＲＯＴＥＣＴＩＯＮ  ＰＲＯＶＩＤＥＤ  ＢＹ  ＥＮＣＬＯＳＵＲＥＳ，  １９８９
【発明の概要】
【発明が解決しようとする課題】
【０００８】
電子制御装置は、隙間８の長さを所定値以下にすることが国際規格で求められている。例えば、スマートキーレスエントリやイモビライザ等のセキュリティ関連の電子制御装置の場合、隙間８の長さは１．０ｍｍ以下に設定されている。しかし、この隙間８の長さは、第１の筐体１、プリント基板２、狭持部３、コネクタ５、第２の筐体６といった多くの部品の製造ばらつきに依存する。このため、各部品の較差を厳しく設定しなければならず、隙間８の長さを国際規格の値以下に設計することが困難であった。特に、コネクタ数の増加に伴い、この設計はさらに困難になる。
【０００９】
本発明は、このような従来の問題を解決するためになされたもので、針金等の外来固形物からの保護と設計の自由度の向上とを両立することができる電子制御装置を提供することを目的とする。
【課題を解決するための手段】
【００１０】
上記目的を達成するために本発明は、突出部の先端から内側に張り出したフランジ部を備え、突出部がコネクタの先端よりも外側に突出し、フランジ部の先端がコネクタの外周よりも中心方向に張り出したことを特徴とする。
【発明の効果】
【００１１】
本発明の電子制御装置によれば、針金等の外来固形物からの保護と設計の自由度の向上とを両立することができるという効果を奏する。
【図面の簡単な説明】
【００１２】
【図１】本発明の実施の形態１における電子制御装置の断面図
【図２】同図１の電子制御装置の正面図
【図３】同図１の点線部分Ｂの拡大図
【図４】本発明の実施の形態２における電子制御装置の断面図
【図５】同図４の電子制御装置の正面図
【図６】本発明の実施の形態３における電子制御装置の断面図
【図７】従来の電子制御装置を説明する断面図
【図８】同図７の電子制御装置の正面図
【図９】同図７の点線部分Ａの拡大図
【発明を実施するための形態】
【００１３】
（実施の形態１）
以下、本発明の実施の形態１の電子制御装置について図面を用いて説明する。本発明の電子制御装置のうち、従来の図７〜図９と同じ構成については詳細な説明を省略し、同じ符号を用いる。
【００１４】
図１は本発明の実施の形態１における電子制御装置の断面図である。図２は、図１の電子制御装置の正面図である。ＸＹＺ軸を用いて表すと、図２は、図１の電子制御装置をＸ軸の正方向に見たときの正面図である。図３は、図１の点線部分Ｂの拡大図である。
【００１５】
図１、図２に示されるように、突出部７はコネクタ５の先端よりも外側に突出する。ＸＹＺ軸を用いて表すと、突出部７はコネクタ５の先端よりもＸ軸の負方向に向かって突出する。
【００１６】
第２の筐体６は、突出部７の先端に設けられたフランジ部１１を有する。フランジ部１１は、突出部７から内側に張り出す。このフランジ部１１は、突出部７の先端から、突出部７の筒の中心方向に向かって張り出す。フランジ部１１は、この内側に張り出した面である先端部１１Ａを有する。
【００１７】
図３に示すように、フランジ部１１は、突出部７の内側に長さＬ１張り出している。このため、コネクタ５の外周部５Ａと突出部７の内周部７Ａとの間の隙間８の長さＷ１が国際規格で定められた所定の値以上であっても、フランジ部１１の先端部１１Ａとコネクタ５の外周部５Ａとの間にＸ方向の隙間がなくなる。したがって、図３に示すように、フランジ部１１の先端部１１Ａとコネクタ５の外周部５Ａとは、Ｘ方向に長さＤ１の壁面が重複している。なお、突出部７から張り出すフランジ部１１の長さＬ１は各部分で異なる値であってもよい。
【００１８】
また、図２に示すように、フランジ部１１は突出部７の筒を構成する外周全体から筒の内側に張り出している。したがって、図２に示すように、フランジ部１１が隙間８の長さＷ１よりも大きい長さＬ１張り出すことによって、ＹＺ平面において、コネクタ５の上下左右全ての方向に存在する隙間８は覆われて見えなくなる。このため、隙間８の長さＷ１が国際規格で定められた値以上であっても針金９等の固形外来物がどの隙間８からも通らず、金属端子４やプリント基板上の図示しない電子回路に接触することを防止することができる。
【００１９】
なお、コネクタ５の開口部５Ｂに図示しないソケットを挿入可能にするため、フランジ部１１の先端部１１Ａは、コネクタ５の開口部５Ｂの外周部よりも外側に張り出されている。したがって、（フランジ部１１の張り出した長さＬ１）は、（コネクタ５の外周部５Ａと突出部７の内周部７Ａとの間の隙間８の長さＷ１）より大きく、（コネクタ５の外周部５Ａと突出部７の内周部７Ａとの間の隙間８の長さＷ１）と（コネクタ５の外周部５Ａの厚みＨ１）の和より小さい。
【００２０】
このため、隙間８自体の長さが国際規格で定められた値以上であっても、針金等の固形外来物がどの隙間８からも通らず、金属端子４やプリント基板上の図示しない電子回路に接触することを防止することができる。また、各部品の製造の際に、コネクタ５の外周部５Ａと突出部７の内周部７Ａとの間の隙間８の長さＷ１を以上にすることが許容されるので、歩留まりを向上することができる。以上より、本発明の実施の形態１の電子制御装置によれば、電子制御装置の保護と設計の自由度の向上とを両立させることができる。なお、本実施形態では、フランジ部１１の先端部１１Ａがコネクタの外周部５Ａよりも外側に張り出していても、コネクタ５の外周部５Ａとフランジ部１１の先端部１１Ａとの間の長さＤ１が国際規格で定められた所定値（例えばスマートキーレスエントリシステムやイモビライザ等のセキュリティ関連装置では１．０ｍｍ）以下の場合、コネクタ５の外周部５Ａとフランジ部１１の先端部１１Ａとの間に隙間が無いものとしてもよい。
（実施の形態２）
実施の形態１では、フランジ部１１は突出部７の筒を構成する外周全体から筒の内側に張り出していたが外周の一部のみ張り出してもよい。本実施の形態の電子制御装置のうち、従来の図７〜図９、または、実施の形態１と同じ構成については詳細な説明を省略し、同じ符号を用いる。
【００２１】
図４は、実施の形態２における電子制御装置の断面図である。図４に示すように、電子制御装置は、第１の筐体１の上面側（ＸＹＺ軸を用いて表すとＺ軸正方向側）から内部に突出した内壁部１２を有する。プリント基板２は第１の筐体１の底面側に配置されている。フランジ部１３は、底面側の突出部７の先端部から内側に張り出す。内壁部１２の底面部１２Ａは、コネクタ５の外周部５Ａの上面側よりも下方に突出する。
【００２２】
図５は、図４の電子制御装置の正面図である。図５に示すように、フランジ部１３のうち、突出部７から左右に張り出す部分の上面側の上端（ＸＹＺ軸を用いて表すとＹ軸方向）に張り出す部分のＺ軸正方向の上端は、フランジ部１３と同じＹ軸方向に位置する内壁部１２の底面部１２Ａの高さまでＺ軸正方向に伸びている。このように、内壁部１２を第１の筐体１の上面側から突出させることによって、フランジ部１３を突出部７の先端の一部から張り出すのみで実施の形態１と同様な効果を得ることができる。
【００２３】
なお、フランジ部１３のうちＹ軸方向に張り出す部分について、同じＹ軸方向に位置する内壁部１２が無い場合、そのフランジ部１３のうちＹ軸方向に張り出す部分は全て突出部７から張り出す。
（実施の形態３）
実施の形態１では、プリント基板２は、第１の筐体１の正面から内挿されて狭持部３で固定されたが、第１の筐体１や第２の筐体６の内部に載置されて固定されてもよい。また、実施の形態１では、フランジ部１１が第２の筐体６に形成されたが、第１の筐体１に形成されてもよい。
【００２４】
図６は、実施の形態３の電子制御装置の断面図である。図６に示すように。第１の筐体１の底面側にプリント基板２が載置される。プリント基板２の底面側に金属端子４の一端が接続される。金属端子４の他端はコネクタ５に接続される。第１の筐体１は、図示しないロック爪を有する。第２の筐体６はロック部１４を有する。第１の筐体１のロック爪に第２の筐体６のロック爪が嵌合することで、第１の筐体１は第２の筐体６に組み付けられる。第１の筐体１は、底面に開口し、この開口からコネクタ５が突出する。第１の筐体１は、このコネクタ５に沿って第１の筐体１の開口端から下方に向かって筒状に突出する突出部１５を有する。また、第１の筐体１は、突出部１５の下方の先端から内側（筒の中心方向）に向かって張り出したフランジ部１６を有する。コネクタ５の外周部５Ａと突出部１５の内周部１５Ａとの間には、隙間１７が設けられている。フランジ部１６の先端部１６Ａは、コネクタ５の外周部５Ａの外壁よりも内側に張り出している。
【００２５】
本実施の形態によれば、コネクタ５が実施の形態１のように電子制御装置の側面から突出したものだけでなく底面から突出したものについても実施の形態１と同様の効果を得ることができる。
【産業上の利用可能性】
【００２６】
本発明は、スマートキーレスエントリやイモビライザ等に用いられる筐体内部にプリント基板を有する電子制御装置として有用である。
【符号の説明】
【００２７】
１    第１の筐体
２    プリント基板
５    コネクタ
６    第２の筐体
７    突出部
８    隙間
１１  フランジ部
【図１】
0005423445.tif 000002
【図２】
0005423445.tif 000003
【図３】
0005423445.tif 000004
【図４】
0005423445.tif 000005
【図５】
0005423445.tif 000006
【図６】
0005423445.tif 000007
【図７】
0005423445.tif 000008
【図８】
0005423445.tif 000009
【図９】
0005423445.tif 000010